【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】  インタフェースユニットを介してデータ出力機器と接続されたホストコンピュータであって、
連続調画像と線画像とが混在した画像の画像データについて、連続調画像データを非可逆方式で圧縮すると共に、線画像データを可逆方式で圧縮する圧縮手段と、
前記圧縮手段により圧縮された連続調画像データ及び線画像データのデータ量の和が、前記インタフェースユニットのデータ蓄積可能容量を超えたか否かを判断する判断手段と、
前記データ量の和が前記データ蓄積可能容量以下であると判断された場合には、前記圧縮手段により圧縮された連続調画像データ及び線画像データを前記インタフェースユニットに出力すると共に、前記データ量の和が前記データ蓄積可能容量を超えたと判断された場合には、前記線画像データを前記非可逆方式で圧縮し直して、前記圧縮手段により圧縮された連続調画像データと共に前記インタフェースユニットに出力する制御手段と、
を含むホストコンピュータ。
【請求項２】  前記制御手段は、前記線画像データを前記非可逆方式で圧縮し直して、前記圧縮手段により圧縮された連続調画像データと共に前記インタフェースユニットに出力する場合に、前記非可逆方式で圧縮し直した線画像データを連続調画像データにマージして前記インタフェースユニットに出力する請求項１記載のホストコンピュータ。
【請求項３】  圧縮されてホストコンピュータから出力された連続調画像と線画像とが混在した画像の画像データを伸張してデータ出力機器に出力するインタフェースユニットであって、
前記ホストコンピュータから出力された非可逆方式で圧縮された連続調画像データ及び可逆方式で圧縮された線画像データを入力する入力手段と、
前記非可逆方式で圧縮された連続調画像データ及び可逆方式で圧縮された線画像データのデータ量の和が、インタフェースユニットのデータ蓄積可能容量を超えたか否かを判断する判断手段と、
前記データ量の和が、前記データ蓄積可能容量を超えたと判断された場合には、前記ホストコンピュータに対し、前記線画像データを非可逆方式で圧縮し直して出力し直すよう指示する指示手段と、
を含むインタフェースユニット。
【請求項４】  圧縮された連続調画像と線画像とが混在した画像の画像データを転送した後、転送先で伸張するデータ処理方法において、
非可逆方式で圧縮された連続調画像データと可逆方式で圧縮された線画像データのデータ量の和が、予め定めたデータ蓄積可能容量以下の場合には、前記圧縮された連続調画像データ及び線画像データを転送すると共に、
前記非可逆方式で圧縮された連続調画像データと可逆方式で圧縮された線画像データのデータ量の和が、前記データ蓄積可能容量を超えた場合には、線画像データを前記非可逆方式で圧縮し直して転送するデータ処理方法。
【請求項５】  インタフェースユニットを介してデータ出力機器と接続されたホストコンピュータであって、
連続調画像と線画像とが混在した画像の画像データについて、連続調画像データを非可逆方式で圧縮すると共に、線画像データを可逆方式で圧縮する圧縮手段と、
前記圧縮手段により圧縮された連続調画像データ及び線画像データのデータ量の和が、前記インタフェースユニットのデータ蓄積可能容量を超えたか否かを判断する判断手段と、
前記データ量の和が前記データ蓄積可能容量以下であると判断された場合には、前記圧縮手段により圧縮された連続調画像データ及び線画像データを前記インタフェースユニットに出力すると共に、前記データ量の和が前記データ蓄積可能容量を超えたと判断された場合には、前記圧縮前の連続調画像データ及び線画像データをマージした後に、マージしたデータ全体を前記非可逆方式で圧縮して前記インタフェースユニットに出力する制御手段と、
を含むホストコンピュータ。
【手続補正２】
【補正対象書類名】明細書
【補正対象項目名】００１３
【補正方法】変更
【補正の内容】
【００１３】
【課題を解決するための手段】
上記目的を達成するために、第１の発明のホストコンピュータは、インタフェースユニットを介してデータ出力機器と接続されたホストコンピュータであって、連続調画像と線画像とが混在した画像の画像データについて、連続調画像データを非可逆方式で圧縮すると共に、線画像データを可逆方式で圧縮する圧縮手段と、前記圧縮手段により圧縮された連続調画像データ及び線画像データのデータ量の和が、前記インタフェースユニットのデータ蓄積可能容量を超えたか否かを判断する判断手段と、前記データ量の和が前記データ蓄積可能容量以下であると判断された場合には、前記圧縮手段により圧縮された連続調画像データ及び線画像データを前記インタフェースユニットに出力すると共に、前記データ量の和が前記データ蓄積可能容量を超えたと判断された場合には、前記線画像データを前記非可逆方式で圧縮し直して、前記圧縮手段により圧縮された連続調画像データと共に前記インタフェースユニットに出力する制御手段と、を含んで構成されている。
【手続補正３】
【補正対象書類名】明細書
【補正対象項目名】００２０
【補正方法】変更
【補正の内容】
【００２０】
また、第２の発明のインタフェースユニットは、圧縮されてホストコンピュータから出力された連続調画像と線画像とが混在した画像の画像データを伸張してデータ出力機器に出力するインタフェースユニットであって、前記ホストコンピュータから出力された非可逆方式で圧縮された連続調画像データ及び可逆方式で圧縮された線画像データを入力する入力手段と、前記非可逆方式で圧縮された連続調画像データ及び可逆方式で圧縮された線画像データのデータ量の和が、インタフェースユニットのデータ蓄積可能容量を超えたか否かを判断する判断手段と、前記データ量の和が、前記データ蓄積可能容量を超えたと判断された場合には、前記ホストコンピュータに対し、前記線画像データを非可逆方式で圧縮し直して出力し直すよう指示する指示手段と、を含んで構成されている。
【手続補正４】
【補正対象書類名】明細書
【補正対象項目名】００２３
【補正方法】変更
【補正の内容】
【００２３】
また、第３の発明のデータ処理方法は、非可逆方式で圧縮された連続調画像データと可逆方式で圧縮された線画像データのデータ量の和が、予め定めたデータ蓄積可能容量以下の場合には、前記圧縮された連続調画像データ及び線画像データを転送すると共に、前記非可逆方式で圧縮された連続調画像データと可逆方式で圧縮された線画像データのデータ量の和が、前記データ蓄積可能容量を超えた場合には、線画像データを前記非可逆方式で圧縮し直して転送するようにしたものである。
【手続補正５】
【補正対象書類名】明細書
【補正対象項目名】００２５
【補正方法】変更
【補正の内容】
【００２５】
なお、非可逆方式で圧縮された連続調画像データと可逆方式で圧縮された線画像データのデータ量の和を、データ蓄積可能容量と比較する処理は、転送元で行われても良いし、転送先で行われてもよい。
また、第４の発明のホストコンピュータは、インタフェースユニットを介してデータ出力機器と接続されたホストコンピュータであって、連続調画像と線画像とが混在した画像の画像データについて、連続調画像データを非可逆方式で圧縮すると共に、線画像データを可逆方式で圧縮する圧縮手段と、前記圧縮手段により圧縮された連続調画像データ及び線画像データのデータ量の和が、前記インタフェースユニットのデータ蓄積可能容量を超えたか否かを判断する判断手段と、前記データ量の和が前記データ蓄積可能容量以下であると判断された場合には、前記圧縮手段により圧縮された連続調画像データ及び線画像データを前記インタフェースユニットに出力すると共に、前記データ量の和が前記データ蓄積可能容量を超えたと判断された場合には、前記圧縮前の連続調画像データ及び線画像データをマージした後に、マージしたデータ全体を前記非可逆方式で圧縮して前記インタフェースユニットに出力する制御手段と、を含んで構成されている。
【手続補正６】
【補正対象書類名】明細書
【補正対象項目名】００４８
【補正方法】変更
【補正の内容】
【００４８】
また、上述した実施の形態では、マージする場合に、非可逆方式で圧縮し直したＬＷ画像データを、既に非可逆圧縮済みのＣＴ画像データにマージする例について説明したが、図６のステップ１１０及びステップ１１２に示すように、ＣＴ画像データとＬＷ画像データとをマージした後に、マージしたデータ全体を非可逆圧縮してもよい。
【手続補正７】
【補正対象書類名】明細書
【補正対象項目名】図面の簡単な説明
【補正方法】変更
【補正の内容】
【図面の簡単な説明】
【図１】
本発明の実施の形態に係る印刷システムの構成を示した概念図である。
【図２】
インタフェースユニットの構成を示したブロック図である。
【図３】
ホストコンピュータの構成を示したブロック図である。
【図４】
ホストコンピュータにおけるデータ処理の流れを示したフローチャートである。
【図５】
従来の印刷システムにおけるデータ処理の流れを示した概念図である。
【図６】
ホストコンピュータにおけるＣＴ画像データとＬＷ画像データとをマージした後に、マージしたデータ全体を非可逆圧縮する場合のデータ処理の流れを示したフローチャートである。
【符号の説明】
１０  インタフェースユニット
１６  ＣＰＵ（判断手段、指示手段）
１８  ＲＯＭ
２８  汎用入出力Ｉ／Ｆ（入力手段）
６０  ホストコンピュータ
６２  ＣＰＵ（圧縮手段、判断手段、制御手段）
６４  ＲＯＭ
７０  プリンタ（データ出力機器）
【手続補正８】
【補正対象書類名】図面
【補正対象項目名】図６
【補正方法】追加
【補正の内容】
【図６】
2004128714.tif 000001